(57)【特許請求の範囲】
【請求項１】
縦軸心周りに回転する回転軸に軸支され、破砕機構を備えたロータと、
前記ロータの径方向外側に前記縦軸心と同心状に配置された筒状シェルと、
前記ロータの上部に前記回転軸と同軸に軸支されたブレーカと、
前記ブレーカに対向配置されたブレーカライナと、
を備えて構成される竪型破砕機のブレーカライナ取付け構造であって、
前記ブレーカの前記ブレーカライナで挟まれる領域に上方に開口するように形成された空洞部と、前記空洞部の内壁から前記ブレーカの側面に向けて形成されたボルト挿通孔と、を備え、
前記ブレーカライナに形成された取付け孔から前記ボルト挿通孔にボルトを挿通し、前記空洞部の内壁側からナットで締結するように構成されている竪型破砕機のブレーカライナ取付け構造。
【請求項２】
前記ブレーカに対向配置された前記ブレーカライナは別体に構成されている請求項１記載の竪型破砕機のブレーカライナ取付け構造。
【請求項３】
前記空洞部が戦記ブレーカの幅方向の中央部に形成されている請求項１または２記載の竪型破砕機のブレーカライナ取付け構造。
【請求項４】
前記空洞部を閉塞する蓋体が設けられている請求項１から３の何れかに記載の竪型破砕機のブレーカライナ取付け構造。
【請求項５】
前記ブレーカの回転バランスを調整するバランスウェートが前記蓋体の重量で調整可能に構成されている請求項４記載の竪型破砕機のブレーカライナ取付け構造。
【発明の詳細な説明】
【技術分野】
【０００１】
本発明は、廃棄された家電製品等を破砕する竪型破砕機のブレーカライナ取付け構造に関する。
【背景技術】
【０００２】
廃棄された冷蔵庫等の家電製品が回収され、再利用等のために破砕処理する装置として竪型破砕機が用いられている。
【０００３】
竪型破砕機は、縦軸心周りに回転するロータと、ロータの径方向外側に縦軸心と同心状に配置され、内周部にシェルライナが取り付けられた筒状シェルと、ロータの上部に回転軸と同軸に軸支されたブレーカと、ロータ下部に回転軸と同軸に軸支されたスイーパと、前記スイーパの周部に配置されたディスチャージリングと、スイーパの掃引によりディスチャージリングの周壁に形成された開口部から掃き出される被破砕物を外部に排出する排出部と、を備えて構成されている。
【０００４】
特許文献１には、ブレーカ（特許文献１では、「ノッカー」と表現されている。）、ロータ及びスイーパが縦軸心周りに正逆双方に回転可能な竪型破砕機として、ブレーカ及びスイーパの打撃面となる左右両側面にライナを取り付けた竪型破砕機が提案されている。
【先行技術文献】
【特許文献】
【０００５】
【特許文献１】登録実用新案第３０５９２０７号公報
【発明の概要】
【発明が解決しようとする課題】
【０００６】
特許文献１に開示されたブレーカライナは、縦軸心周りに正逆双方に回転した場合に備えて、径方向に延出形成されたアームの先端側の左右両側面にブレーカライナが配置され、アームを挟んで一対のブレーカライナ同士を長尺のボルトとナットで締付固定するように構成されていた。
【０００７】
そのため、被破砕物を打撃する際の衝撃等で生じるボルトの伸びが大きく、その結果ナットが緩み易くなり、破砕処理中にブレーカライナがアームから離脱する虞があるという問題があった。
【０００８】
また、破砕過程で被破砕物との接触によりブレーカライナが摩耗して薄肉になるとボルトやナットまでが摩耗し、とくにナットが摩耗するとブレーカライナの交換時にナットを取り外すことが困難になるという問題や、さらに摩耗すると破砕処理中にブレーカライナがアームから離脱する虞があるという問題があった。
【０００９】
本発明の目的は、上述した従来の問題点に鑑み、正逆双方に回転可能に構成された竪型破砕機で、適切にライナの交換作業が行なえ、また不用意にライナが離脱することのない竪型破砕機のブレーカライナ取付け構造を提供する点にある。
【課題を解決するための手段】
【００１０】
上述の目的を達成するため、本発明による竪型破砕機のブレーカライナ取付け構造の第一の特徴構成は、特許請求の範囲の書類の請求項１に記載した通り、縦軸心周りに回転する回転軸に軸支され、破砕機構を備えたロータと、前記ロータの径方向外側に前記縦軸心と同心状に配置された筒状シェルと、前記ロータの上部に前記回転軸と同軸に軸支されたブレーカと、前記ブレーカに対向配置されたブレーカライナと、を備えて構成される竪型破砕機のブレーカライナ取付け構造であって、前記ブレーカの前記ブレーカライナで挟まれる領域に上方に開口するように形成された空洞部と、前記空洞部の内壁から前記ブレーカの側面に向けて形成されたボルト挿通孔と、を備え、前記ブレーカライナに形成された取付け孔から前記ボルト挿通孔にボルトを挿通し、前記空洞部の内壁側からナットで締結するように構成されている点にある。
【００１１】
互いに対向して配置されるブレーカライナで挟まれるブレーカの領域に上方に開口するように空洞部が形成され、ブレーカの両側面から空洞部に向けてボルト挿通孔が形成されている。そのため、ブレーカライナに形成された取付け孔からボルト挿通孔にボルトを挿通し、空洞部の内壁側からナットで締結することが可能になる。そのため、長尺のボルトを用いる必要が無く、被破砕物を打撃する際の衝撃等に起因するボルトの伸びも抑制されるのでナットの緩みも抑制される。また、ブレーカが正逆何れの側に回転しても、被破砕物とナットが接触することがないので、ナットが摩耗することなく、従ってナットの取り外しが困難になるようなこともない。
【００１２】
同第二の特徴構成は、同請求項２に記載した通り、上述の第一の特徴構成に加えて、前記ブレーカに対向配置された前記ブレーカライナは別体に構成されている点にある。
【００１３】
同第三の特徴構成は、同請求項３に記載した通り、上述の第一または第二の特徴構成に加えて、前記空洞部が前記ブレーカの幅方向の中央部に形成されている点にある。
【００１４】
空洞部の中心部とブレーカの両側面との距離が等しくなるので、左右のブレーカライナを取り付けるためのボルトも同じ長さのボルトを用いることができ、またブレーカの重量バランスも左右対称となり正逆何れに回転する場合でも動作が安定する。
【００１５】
同第四の特徴構成は、同請求項４に記載した通り、上述の第一から第三の何れかの特徴構成に加えて、前記空洞部を閉塞する蓋体が設けられている点にある。
【００１６】
ブレーカライナの取付けが終了した後に蓋体で空洞部を閉塞することにより、破砕処理で生じる被破砕物が貫通孔の内部に入り込み、詰りが生じるようなことを回避することができる。
【００１７】
同第五の特徴構成は、同請求項５に記載した通り、上述の第四の特徴構成に加えて、前記ブレーカの回転バランスを調整するバランスウェートが前記蓋体の重量で調整可能に構成されている点にある。
【００１８】
ブレーカが回転する際のバランスを調整するバランスウェイトとしての機能を蓋体に持たせることにより、安定した回転が可能になる。
【発明の効果】
【００１９】
以上説明した通り、本発明によれば、正逆双方に回転可能に構成された竪型破砕機で、適切にライナの交換作業が行なえ、また不用意にライナが離脱することのない竪型破砕機のブレーカライナ取付け構造を提供することができるようになった。
【図面の簡単な説明】
【００２０】
【図１】（ａ）は竪型破砕機の要部平面図、（ｂ）は同縦断面図
【図２】（ａ）は竪型破砕機の正面図、（ｂ）は同平面図、（ｃ）は同左側面図
【図３】（ａ）はブレーカの平面図、（ｂ）は同右側面図、（ｃ）はブレーカの要部平面図
【図４】（ａ）はブレーカライナの平面図、（ｂ）は同正断面図、（ｃ）はブレーカライナの取付け状態を示す要部説明図
【図５】（ａ）はディスチャージリングライナ及び排出部ライナの平面図、（ｂ）は同平面図
【図６】（ａ）はディスチャージリングライナの説明図、（ｂ）〜（ｆ）は排出部ライナの説明図
【発明を実施するための形態】
【００２１】
以下に、竪型破砕機のブレーカライナ取付け構造、及び排出部ライナ取付け構造を、図面に基づいて説明する。
【００２２】
図２（ａ），（ｂ），（ｃ）に示すように、竪型破砕機１は、冷蔵庫等の家電製品を破砕処理する装置で、装置フレーム６に設けられたモータ４及び破砕処理部１０を備えて構成されている。破砕処理部１０は、装置フレーム６に固定されたディスチャージリング６０と、ディスチャージリング６０の上部に配置された筒状シェル２０と、筒状シェル２０の内部に回転可能に収容されたブレーカ３０等を備えて構成され、破砕処理部１０で破砕された被破砕物が排出部７０から掃き出されるように構成されている。
【００２３】
装置フレーム６の内部で、モータ４の出力軸４Ａに取付けられたプーリ３と破砕処理部１０の回転軸２に備えたプーリとがＶベルト５で駆動連結され、モータ４の動力でロータ４０等が筒状シェル２０に対して回転するように構成されている。モータ４が正転または逆転することにより、回転軸が正転または逆転可能に構成されている。
【００２４】
図１（ａ），（ｂ）に示すように、筒状シェル２０の内周部には上下姿勢のリブが形成された上下２段のシェルライナ２１，２２が配され、筒状シェル２０の内側に、上方から順にブレーカ３０、ロータ４０、スイーパ５０が縦軸心周りの回転軸２に一体回転可能に軸支されている。ロータ４０は、円盤４２と、円盤４２の外周部で遊転自在に軸支された破砕機構としての複数の破砕グラインダ４１とを備えている。尚、破砕機構は破砕グラインダ４１に限らず、公知の他の構成でもよい。
【００２５】
上方から投入された被破砕物は、ブレーカ３０で打撃されて破砕されながら、シェルライナ２１，２２と破砕グラインダ４１との間で細かく破砕されながら下方に搬送され、筒状シェル２０の下方に配置されたディスチャージリング６０に落下する。
【００２６】
ディスチャージリング６０に落下した被破砕物は、スイーパ５０の回転軸２周りの掃引によりディスチャージリングの周壁に形成された開口部５０Ａから掃き出され、排出部７０から装置外部に排出される。
【００２７】
図３（ａ），（ｂ），（ｃ）に示すように、ブレーカ３０は、回転軸２に挿通され回転軸２と一体に回転する円盤状の基部３３と、基部３３の上側に配置された第１アーム部材３６及び第２アーム部材３７を備えている。第１アーム部材３６と第２アーム部材３７は互いに１８０°の角度でそれぞれが基部３３の径方向に延出形成されている。第１アーム部材３６は第２アーム部材３７の肉厚分だけ軸心方向上側に位置している。
【００２８】
第１アーム部材３６及び第２アーム部材３７が基部３３とともに回転することにより、筒状シェル２０に投入された被破砕物が打撃されて破砕され、基部３３上を移送しながらシェルライナ２１，２２と破砕グラインダ４１との間に導かれる。この時、基部３３の摩耗を抑制するため、基部３３の上面には放射状の肉盛３４が形成されている。図３（ａ），（ｃ）のハッチング部位が肉盛部位である。
【００２９】
ブレーカ３０を構成する第１アーム部材３６及び第２アーム部材３７の先端には、被破砕物を打撃する際に摩耗しないようにブレーカライナ３１が取り付けられている。
【００３０】
以下、ブレーカライナ３１の取付け構造を説明する。
図３（ａ），（ｂ），（ｃ）及び図４（ａ），（ｂ），（ｃ）に示すように、ブレーカ３０（３６，３７）のうち少なくとも左右のブレーカライナ３１で挟まれる領域に径方向に沿ってそれぞれ一対の貫通孔３６ｈ，３７ｈが形成され、各貫通孔３６ｈ，３７ｈの内壁からブレーカ３０（３６，３７）の側面に向けてボルト挿通孔３６ｊ，３７ｊが形成されている。
【００３１】
当該貫通孔３６ｈ，３７ｈが、上方に開口するように形成された空洞部となる。空洞部として貫通孔に限るものではなく、上方に開口し、底部が存在する凹部であってもよい。
【００３２】
ブレーカライナ３１に形成された取付け孔３１ｂからボルト挿通孔３６ｊ，３７ｊにボルト３１ｆを挿通し、貫通孔３６ｈ，３７ｈの内壁側からナット３１ｇで締結するように構成されている。
【００３３】
そのため、長尺のボルトを用いる必要が無く、被破砕物を打撃する際の衝撃等に起因するボルトの伸びも抑制されるのでナットの緩みも抑制される。また、ブレーカが正逆何れの側に回転しても、被破砕物とナット３１ｇが接触することがないので、ナットナット３１ｇが摩耗することなく、従ってナット３１ｇの取り外しが困難になるようなこともない。
【００３４】
貫通孔３６ｈ，３７ｈがブレーカ３１の左右の幅方向の中央部に形成されていることが好ましく、貫通孔３６ｈ，３７ｈの中心部とブレーカ３０（３６，３７）の左右両側面との距離が等しくなるので、左右のブレーカライナ３１を取り付けるためのボルト３１ｆも同じ長さのボルトを用いることができ、またブレーカ３１の重量バランスも左右対称となり正逆何れに回転する場合でも動作が安定する。
【００３５】
更に、ブレーカライナ３１に形成された取付け孔３１ｂにボルト３１ｆの頭部を回り止め状態で収容する座刳り部３１ａが形成され、座刳り部３１ａ及びボルト３１ｆの頭部の対向面３１ｅが滑らかに表面加工されている。
【００３６】
座刳り部３１ａ及びボルト３１ｆの頭部の対向面３１ｅの双方が滑らかに表面加工されていると、初期に締付固定した後に、被破砕物を打撃した際に対向面の大きな変形が生じないので締付状態の緩みが回避され、増し締め作業を行なう必要が無くなる。
【００３７】
貫通孔３６ｈ，３７ｈを閉塞する上下一対の蓋体３５Ａ，３５Ｂ，３５Ｃ，３５Ｄがさらに設けられ、ブレーカ３０（３６，３７）の回転バランスを調整するバランスウェートが蓋体３５Ａ，３５Ｂ，３５Ｃ，３５Ｄの重量で調整可能に構成されている。
【００３８】
ブレーカライナ３１の取付けが終了した後に蓋体３５Ａ，３５Ｂ，３５Ｃ，３５Ｄで貫通孔３６ｈ，３７ｈを閉塞することにより、破砕処理で生じる被破砕物が貫通孔３６ｈ，３７ｈを内部に入り込み、詰りが生じるようなことを回避することができる。また、ブレーカ３０（３６，３７）が回転する際のバランスを調整するバランスウェイトとしての機能を蓋体３５Ａ，３５Ｂ，３５Ｃ，３５Ｄに持たせることにより、安定した回転が可能になる。
【００３９】
図１（ｂ）に示すように、ディスチャージリング６０がスイーパ５０を囲繞するように配置され、スイーパ５０の掃引、つまり回転軸２周りの回転によりディスチャージリング６０の周壁に形成された開口部５０Ａから被破砕物が掃き出される。このとき、ディスチャージリング６０の摩耗を回避するために、ディスチャージリング６０の内周部にディスチャージリングライナ６２ａが配置されている。
【００４０】
図５（ａ），（ｂ）に示すように、ディスチャージリングライナ６２ａのうち開口部５０Ａ側の縁部６３を覆うように、排出部側から前記ディスチャージリング側に突出する姿勢で排出部ライナ６２ｂが取り付けられている。
【００４１】
開口部５０Ａに位置するディスチャージリングライナ６２ａの縁部６３が排出部ライナ６２ｂで覆われるので、開口部５０Ａから被破砕物が吐き出される際にディスチャージリングライナ６２ａの縁部６３に代わって排出部ライナ６２ｂが摩耗するようになり、交換作業の煩雑なディスチャージリングライナ６２ａの摩耗が抑制されるようになる。尚、排出部ライナ６２ｂはディスチャージリング６０の外部であって排出部７０側に配されるので、容易に交換作業を行なうことができる。
【００４２】
排出部ライナ６２ｂは、開口部５０Ａ側のディスチャージリングライナ６２ａの縁部６３に対向する対向縁部６４と対向縁部６４に隣接し、ディスチャージリングライナ６２ａの表面から同一曲率で連続する表面６５を備えた厚肉部６６を備えている。
【００４３】
この様に構成されると、スイーパ５０の掃引によりディスチャージリングライナ６２ａの表面に沿って開口部５０Ａに向けて案内される被破砕物は、最終的に排出部ライナ６２ｂの厚肉部６６を形成する表面でディスチャージリング６０の径方向に向けて接触しながら吐き出される。最も摩耗の激しい部位が厚肉に形成されているので、頻繁なメンテナンスも不要になる。
【００４４】
図６（ａ）は、ディスチャージリングライナ６２ａの正面、平面、側面構造が示され、上下の取付け孔６２０を介してディスチャージリング６０に取付けられる。図６（ｂ）〜（ｄ）は。図５（ｂ）に示した排出部ライナ６２ｃ，７０ａ，７０ｂの正面、平面、側面構造が示され、上下の取付け孔６２０を介して排出部７０の側壁に取付けられる。
【００４５】
図６（ｅ），（ｆ）に示すように、排出部ライナ６２ｂは、上下を反転させることにより開口部５０Ａの左右双方に取付け可能に構成されている。同一の排出部ライナ６２ｂを開口部５０Ａの左右何れの側にも取付け可能となるので、部品の共通化によるコストの低減化を図ることができる。
【００４６】
上述した実施形態のように、開口部５０Ａの左右両端と回転軸２とを結ぶ角度が１８０°未満に構成されていると、ディスチャージリング６０の上方に配置される筒状シェル２０を支持するための別途の支持機構を設ける必要もなく、シンプルな構造の竪型破砕機１を構成することができる。
【００４７】
尚、上述した実施形態は、本発明の一例に過ぎず、本発明の作用効果を奏する範囲において各部の具体的な構造、形状、サイズ等を適宜変更設計できることは言うまでもない。
【符号の説明】
【００４８】
１：竪型破砕機
２０：筒状シェル
２１，２２：シェルライナ
３０：ブレーカ
３１：ブレーカライナ
４０：ロータ
５０：スイーパ
５０Ａ：開口部
６０：ディスチャージリング
６２ａ：ディスチャージリングライナ
６２ｂ：排出部ライナ
７０：排出部
【図１】
0006637709.tif 000002
【図２】
0006637709.tif 000003
【図３】
0006637709.tif 000004
【図４】
0006637709.tif 000005
【図５】
0006637709.tif 000006
【図６】
0006637709.tif 000007